(57)【特許請求の範囲】
【請求項１】
複数枚のパネルを相互に連結することにより形成する防音室における相互に隣り合うパネル同士を連結具で連結する構造であって、
前記連結具は、前記各パネルの何れか一方の室内側に固定される固定部と、前記各パネルの何れか他方の室内側に設けられた被係合部に係合する係合部とを備え、この係合部は、前記他方のパネルに対して、少なくとも上下左右に移動可能に係合し、
各パネルの接触面間には弾性体が介装されていることを特徴とするパネルの連結構造。
【請求項２】
複数枚のパネルを相互に連結することにより形成する防音室における相互に隣り合うパネル同士を連結具で連結する構造であって、
前記連結具は、前記各パネルの何れか一方の室内側に取り付けられる第１の連結具と、前記各パネルの何れか他方の室内側に取り付けられる第２の連結具とからなり、
前記第２の連結具は、前記他方のパネルとの間に被係合部を形成し、
前記第１の連結具は、前記他方のパネルに形成される被係合部に係合する係合部を備え、この係合部は、前記他方のパネルに対して、少なくとも上下左右に移動可能に係合し、
各パネルの接触面間には弾性体が介装されていることを特徴とするパネルの連結構造。
【請求項３】
各パネルの相対移動方向若しくは移動量を規制する移動規制手段を備えたことを特徴とする請求項１又は２記載のパネルの連結構造。
【発明の詳細な説明】
【０００１】
【発明の属する技術分野】
本発明は、連結具及びこれを用いたパネルの連結構造に係り、更に詳しくは、部材同士の連結作業を簡単に行うことのできる連結具及びこれを用いたパネルの連結構造に関する。
【０００２】
【従来の技術】
従来より、複数枚のパネルを相互に連結することによって形成された防音室が知られている。この防音室の天井部分では、例えば、図１２に示されるように、壁パネル７１と天井パネル７２とによって形成されるコーナー領域に、側面視略Ｌ字状の連結具７３が複数箇所に取り付けられ、これによって、壁パネル７１及び天井パネル７２が相互に連結される。前記連結具７３は、壁パネル７１の上端側の内面と天井パネル７２の外周側の下面とに跨った状態で、ねじ７４で各パネル７１，７２にそれぞれ固定されるようになっている。
【０００３】
【発明が解決しようとする課題】
しかしながら、このような連結具７３を用いた壁パネル７１及び天井パネル７２の連結では、これらパネル７１，７２の連結作業を簡単に行うことができないという不都合がある。すなわち、連結具７３を固定する際に、一個の連結具７３につき二箇所のねじ止めが必要となり、施工上面倒となる他、連結具７３を最初に固定する際に、当該連結具７３を一方の手で押えながら他方の手でねじ止めしなければならず、連結具７３を片手作業で取り付けることができないためである。
【０００４】
また、前記連結具７３では、壁パネル７１と天井パネル７２とが相対移動できないように拘束されるため、壁パネル７１の上端側や天井パネル７２の外周側が固定端となり、これに起因する共振現象によって各パネル７１，７２で囲まれる室内空間の遮音性能が低下するという別異の不都合を招来する。
【０００５】
【発明の目的】
本発明は、このような不都合に着目して案出されたものであり、その目的は、パネル等の部材同士の連結作業を簡単に行うことができ、しかも、各部材の拘束に基づく遮音性能の低下を抑制することができる連結具及びこれを用いたパネルの連結構造を提供することにある。
【０００７】
【課題を解決するための手段】
前記目的を達成するため、本発明に係るパネルの連結構造は、複数枚のパネルを相互に連結することにより形成する防音室における相互に隣り合うパネル同士を連結具で連結する構造であって、
前記連結具は、前記各パネルの何れか一方の室内側に固定される固定部と、前記各パネルの何れか他方の室内側に設けられた被係合部に係合する係合部とを備え、この係合部は、前記他方のパネルに対して、少なくとも上下左右に移動可能に係合し、
各パネルの接触面間には弾性体が介装される、という構成を採っており、これにより、パネル同士の連結作業を簡単に行うことができ、しかも、各パネルの拘束に基づく遮音性能の低下を抑制することができる。
【０００８】
更に、本発明に係るパネルの連結構造は、複数枚のパネルを相互に連結することにより形成する防音室における相互に隣り合うパネル同士を連結具で連結する構造であって、
前記連結具は、前記各パネルの何れか一方の室内側に取り付けられる第１の連結具と、前記各パネルの何れか他方の室内側に取り付けられる第２の連結具とからなり、
前記第２の連結具は、前記他方のパネルとの間に被係合部を形成し、
前記第１の連結具は、前記他方のパネルに形成される被係合部に係合する係合部を備え、この係合部は、前記他方のパネルに対して、少なくとも上下左右に移動可能に係合し、
各パネルの接触面間には弾性体が介装される、という構成を採ることもできる。このような構成によっても、前述した目的を達成できる他、被係合部を第２の連結具で形成できるため、予め他方のパネルに穴等を形成する加工作業を省略できる他、任意の位置でパネル同士を連結することができる等、パネル連結の自由度を高めることが可能となる。
【０００９】
【発明の実施の形態】
本発明に係るパネルの連結構造において、各パネルの相対移動方向若しくは移動量を規制する移動規制手段を備える、という構成を採ることが好ましい。このように構成することで、各パネル間の相対移動方向若しくは移動量を限定することができ、各パネルの移動によるガタツキ等を抑制しつつも遮音性能の低下を抑制することが可能になる。
【００１０】
【実施例】
以下、本発明の実施例について図面を参照しながら説明する。
【００１１】
［第１実施例］
図１には、第１実施例に係るパネルの連結構造が適用された防音室上部の概略縦断面図が示されている。この図において、防音室１０は、平面視略方形状に連結されて側壁部分を形成する複数枚の壁パネル１２と、これら壁パネル１２で囲まれる室内空間を上方から閉塞して天井部分を形成する天井パネル１３と、壁パネル１２と天井パネル１３とを連結する連結具１４とを備えて構成されている。
【００１２】
前記壁パネル１２は、特に限定されるものではないが、室内側に位置する内面板１５と、室外側に位置する外面板１６と、これら内面板１５及び外面板１６との間に介装される芯材１８及び吸音材１９とを備えたフラッシュ構造に設けられている。また、壁パネル１２の上端室内側には、天井パネル１３の外周部分が着座する段部２１が形成され、当該段部２１における天井パネル１３の着座面と天井パネル１３の外周部下面との間には、各パネル１２，１３の接触領域の隙間を閉塞し且つ各パネル１２，１３の振動吸収を行うための弾性体２２が介装されている。なお、この弾性体２２は面状をなし、各パネル１２，１３に接着等の手段で固定されている。
【００１３】
前記内面板１５の上部には、壁パネル１２の内部空間２４に連なるスロット穴２６が形成されている。このスロット穴２６は、壁パネル１２を室内側から見たときに左右方向（幅方向）に延びており、連結具１４の一部が係合する被係合部を構成する。
【００１４】
前記天井パネル１３は、特に限定されるものではないが、本実施例では一枚の板材によって構成されており、壁パネル１２のようなフラッシュ構造等、他の層構造を有するパネルを採用することもできる。
【００１５】
前記連結具１４は、壁パネル１２と天井パネル１３とにより形成されるコーナー領域の複数箇所に設けられている。この連結具１４は、図２及び図３に示されるように、天井パネル１３の内面（図２中下面）にねじ２８で固定される略平坦面状の固定部２９と、この固定部２９の図２中左端側から同図中下方に延びて内面板１５に沿うように配置される側部３１と、この側部３１の図２中下端側から固定部２９と逆向きに延びてスロット穴２６に隙間Ｓ１を介して係合する側面視略Ｌ字状の係合部３２とにより構成されている。
【００１６】
前記固定部２９には、前記ねじ２８の挿通穴３４が形成され、また、係合部３２の先端側には、側部３１に沿って延びて内部空間２４内に位置する屈曲部３２Ａが形成されている。この屈曲部３２Ａは、連結具１４をスロット穴２６に引っ掛けて壁パネル１２に保持可能となる高さ（図２中上下幅）に設けられている。つまり、屈曲部３２Ａは、連結具１４をスロット穴２６に引っ掛けた状態で天井パネル１３への連結具１４の取り付け作業を行うことのできるサイズに設けられている。また、側部３１と屈曲部３２Ａとの相対面間距離Ｌ（図３参照）は、内面板１５の厚みよりも大きく設定され、且つ、係合部３２は、スロット穴２６に対し、図２中上下方向及び同図中紙面直交方向に一定量移動可能となる隙間Ｓ１を介して係合している。そのため、壁パネル１２及び連結具１４は、一定範囲内で直交三軸方向に相対移動可能となる。すなわち、図２中上下方向及び同図中紙面直交方向における壁パネル１２と連結具１４との相対移動は、弾性体２２の変形範囲内及び前記隙間Ｓ１の大きさの範囲内で許容される一方、図２中左右方向における壁パネル１２と連結具１４との相対移動は、弾性体２２の変形範囲内及び前記相対面間距離Ｌの範囲内で許容される。また、本実施例では、図２に示される初期の設定状態で壁パネル１２に対する連結具１４の同図中上方の移動が規制されるようになっており、この結果、温湿度変化による天井パネル１３の室外側への経時的な反り変形が抑制されることになる。
【００１７】
以上のように構成された連結具１４の取り付けは、先ず、係合部３２を壁パネル１２のスロット穴２６に引っ掛けた後で、天井パネル１３の室内側の面にねじ２８で固定部２９を固定することにより行われる。
【００１８】
従って、このような第１実施例によれば、一個の連結具１４に対するねじ止め作業を一箇所で行うだけで連結具１４を各パネル１２，１３に取り付けることができ、また、連結具１４をスロット穴２６に引っ掛けながらねじ止め作業を行うことができるため、当該ねじ止め作業を片手で行うことができ、各パネル１２，１３の連結作業を間単に行うことができるという効果を得る。
【００１９】
また、天井パネル１３に固定される連結具１４が、壁パネル１２に対して一定範囲内で移動可能に係合するため、各パネル１２，１３の連結状態を保ったままそれらの相対移動が一定範囲で許容されることになり、各パネル１２，１３の外周側が自由端に近い状態となって共振現象による防音室１０の遮音性能の低下を防止できるという効果をも得る。
【００２０】
次に、本発明の前記以外の実施例について説明する。なお、以下の説明において、既述した構成部分と同一若しくは同等の構成部分については同一符号を用いるものとし、説明を省略若しくは簡略にする。
【００２１】
［第２実施例］
第２実施例は、図４に示されるように、天井パネル１３をフラッシュ構造として、その内面板１３Ａの複数箇所にスロット穴２６を形成し、板状の壁パネル１２側に固定された連結具３６をスロット穴２６に引っ掛けることで、各パネル１２，１３同士を相対移動可能に連結する構造を採用したところに特徴を有する。
【００２２】
ここでの連結具３６は、図５及び図６に示されるように、壁パネル１２の室内側の面にねじ３８で固定される略平坦面状の固定部３９と、この固定部３９の図５中上端側から同図中右方に略水平状に延びて天井パネル１３に沿うように配置される側部４１と、この側部４１の図５中右端側から固定部３９と逆向きに延びてスロット穴２６に隙間Ｓ１を介して係合する係合部４２とにより構成されている。固定部３９には、ねじ３８の挿通穴４４が形成され、また、係合部４２の先端側には、側部４１に沿って延びて天井パネル１３の内部空間１３Ｂに位置する屈曲部４２Ａが形成されている。この屈曲部４２Ａも、連結具３６をスロット穴２６に引っ掛けた状態で壁パネル１２への連結具３６の取り付け作業を行うことのできるサイズに設けられている。これら側部４１と屈曲部４２Ａとの相対面間距離Ｌは、前記内面板１３Ａの厚みよりも大きく設定されており、第１実施例の連結具１４と同様に、天井パネル１３及び連結具３６の相対移動が一定範囲内で許容されるようになっている。なお、本実施例においても、図５に示される初期の設定状態で、連結具３６に対する天井パネル１３の同図中上方の移動が規制されるようになっている。
【００２３】
このような第２実施例によっても、前記第１実施例と同様の効果を得ることができる。
【００２４】
［第３実施例］
第３実施例は、図７に示されるように、前記第１実施例に対し、スロット穴２６を壁パネル１２に設けない代わりに、側面視略クランク状をなす別途の連結具４６を壁パネル１２に固定し、二つの連結具１４，４６を用いて、各パネル１２，１３を相対移動可能に連結する構造を採用したところに特徴を有する。
【００２５】
前記別途の連結具４６は、内面板１５に固定されるベース部４８と、このベース部４８の図７中下端側から同図中右方に延びる中間部４９と、この中間部４９の図７中右端側からベース部４８と反対方向に延びる空間形成部５０とにより構成されている。この空間形成部５０は、内面板１５との間に、連結具１４の係合部３２が係合する被係合部としての係合空間Ｃを形成するようになっている。この係合空間Ｃは、そこに受容される屈曲部３２Ａとの間に隙間Ｓ２を形成可能な大きさに設定されている。
【００２６】
従って、第３実施例では、各パネル１２，１３の図７中上下方向及び左右方向の相対移動は、係合部３２が壁パネル１２及び連結具４６に干渉しないような弾性体２２の変形範囲内で許容される一方、各パネル１２，１３の図７中紙面直交方向の相対移動は、各連結具１４，４６とは無関係に弾性体２２の変形範囲内で許容されることになる。
【００２７】
このような第３実施例によれば、前記各実施例で得られる効果に加え、壁パネル１２にスロット穴２６を形成する必要がなく、壁パネル１２及び天井パネル１３を比較的自由な位置で連結することが可能になるという効果を得る。
【００２８】
なお、図８に示されるように、前記第２実施例に対して、前記第３実施例の連結構造を採用することも可能である。すなわち、ここでの連結構造は、天井パネル１３にスロット穴２６を設けずに、連結具４６のベース部４８を天井パネル１３の内面板１３Ａに固定し、当該内面板１３Ａと空間形成部５０との間に前記係合空間Ｃを形成することで、前記連結具３６の係合部４２を係合空間Ｃに係合させるようになっている。
【００２９】
また、図９〜図１１に示されるように、壁パネル１２と天井パネル１３との間の相対移動方向若しくは移動量を前述よりも更に規制する移動規制手段５２を設けることもできる。
【００３０】
すなわち、図９〜図１１の移動規制手段５２は、前記第１実施例における連結具１４の側部３１に形成された穴部５４と、この穴部５４に挿通されて壁パネル１２にねじ込まれるねじ５５とにより構成されている。
【００３１】
図９では、穴部５４が、同図（Ａ）中左右方向に延びる長穴状に設定され、各パネル１２，１３における同図中上下方向の相対移動が規制されるようになっている。なお、その他の方向における各パネル１２，１３の相対移動は、図９（Ｂ）に示されるように、ねじ５５の頭部と壁パネル１２との間に隙間Ｓ３を形成することにより、前述の範囲内、若しくは隙間Ｓ３の大きさの範囲内で許容される。
【００３２】
また、図１０では、穴部５４が、同図（Ａ）中上下方向に延びる長穴に設定され、各パネル１２，１３における同図中左右方向の相対移動が規制されるようになっている。この場合も、その他の方向における各パネル１２，１３の相対移動は、図１０（Ｂ）に示されるように、前記隙間Ｓ３の形成により、図９の場合と同様に一定範囲内で許容される。
【００３３】
更に、図１１では、穴部５４がねじ５５の軸部の外径よりも僅かに大きな内径の丸穴に設定されており、第１の実施例に対し、各パネル１２，１３における図１１中上下方向及び紙面直交方向の直交二方向の相対移動量が更に規制されるようになっている。
【００３４】
なお、前記移動規制手段５２は、前記第２及び第３実施例の構造に併用することもできる。また、移動規制手段としては、前述の移動規制手段５２の他に、パネル１２，１３側に設けられる突起等によって構成し、この突起と連結具１４等との当接によって、所定方向における各パネルの相対移動を規制することもできる。
【００３５】
また、前記各図示例においては、連結具１４等を壁パネル１２と天井パネル１３との連結に用いたが、本発明はこれに限らず、他のパネル同士の連結に用いることもできる。
【００３６】
【発明の効果】
以上説明したように、本発明によれば、第１及び第２の何れか一方のパネルに固定される固定部と、第１及び第２の何れか他方のパネルに設けられた被係合部に係合する係合部とを備え、前記他方のパネルに対して移動可能に係合部を係合する構造としたから、パネル同士の連結作業を簡単に行うことができ、且つ、各パネルの拘束に基づく遮音性能の低下を抑制することができる。
【００３７】
また、何れか一方のパネルに取り付けられる第１の連結具に、他方のパネルと第２の連結具との間で形成された被係合部に係合する係合部を設け、他方のパネルに対して移動可能に係合部を係合する構造としたから、種々のパネル同士の連結に難なく対応可能となり、当該連結における汎用性を高めることができる。
【００３８】
更に、各パネルの相対移動方向若しくは移動量を規制する移動規制手段を備えたから、各パネルの移動量を共振現象が発生しない必要最小限の大きさに調整することができる。
【図面の簡単な説明】
【図１】  第１実施例に係るパネルの連結構造が適用された防音室上部の概略縦断面図。
【図２】  図１の一部拡大図。
【図３】  第１実施例に係る連結具の概略斜視図。
【図４】  第２実施例に係るパネルの連結構造が適用された防音室上部の概略縦断面図。
【図５】  図４の一部拡大図。
【図６】  第２実施例に係る連結具の概略斜視図。
【図７】  第３実施例に係るパネルの連結構造が適用された防音室上部の一部縦断面図。
【図８】  図７の変形例を示す防音室上部の一部縦断面図。
【図９】  （Ａ）は、第１実施例の変形例を示す防音室上部の一部縦断面図であり、（Ｂ）は、（Ａ）の紙面直交方向に断面した図である。
【図１０】  （Ａ）は、第１実施例の他の変形例を示す防音室上部の一部縦断面図であり、（Ｂ）は、（Ａ）の紙面直交方向に断面した図である。
【図１１】  （Ａ）は、第１実施例の更に他の変形例を示す防音室上部の一部縦断面図であり、（Ｂ）は、（Ａ）の紙面直交方向に断面した図である。
【図１２】  従来例における防音室上部の概略縦断面図。
【符号の説明】
１２・・・壁パネル、１３・・・天井パネル、１４・・・連結具、２６・・・スロット穴（被係合部）、２９・・・固定部、３２・・・係合部、３６・・・連結具、３９・・・固定部、４２・・・係合部、４６・・・連結具、５２・・・移動規制手段、Ｃ・・・係合空間（被係合部）
【図１】
0003719991.tif 000002
【図２】
0003719991.tif 000003
【図３】
0003719991.tif 000004
【図４】
0003719991.tif 000005
【図５】
0003719991.tif 000006
【図６】
0003719991.tif 000007
【図７】
0003719991.tif 000008
【図８】
0003719991.tif 000009
【図９】
0003719991.tif 000010
【図１０】
0003719991.tif 000011
【図１１】
0003719991.tif 000012
【図１２】
0003719991.tif 000013